(57)【要約】【課題】カードコネクタにカードを保持した後、誤ってカードを抜き出す操作を行った場合でも、以降の操作を適正に操作し得るカードコネクタを合理的に構成する。【解決手段】ボディＢにカードＭを挿入した際にカードＭの凹部Ｄに係入する係合片２３をスライダーＳに形成し、この係合片２３と表裏の位置関係でハートカムＣＡＭのカム溝を形成し、このカム溝に倣い軸４Ａが係入するフックピン４を備え、この倣い軸４Ａがカム溝のロックポイントＬｐ１に位置する状態（ロック機構Ｌがロック状態）で、カードＭが引き抜き方向に操作された場合には、係合片２３と一体的に変位する突出片２５で倣い軸４Ａを突き上げてロックの解除を行い、バネ３の付勢力でスライダーＳをイジェクト位置まで復元させるロック解除機構Ｒを備えた。【選択図】        図４
2004235018.tif 000002
【特許請求の範囲】
【請求項１】
コンタクトを有したボディと、このボディに対してイジェクト位置・ロック位置の間でスライド作動するスライダーと、このスライダーに対してイジェクト方向に付勢力を作用させる付勢機構と、前記スライダーを前記ロック位置に保持するロック機構とを備えると共に、
前記ロック機構が、前記スライダーに対してハート状に形成したカム溝と、このカム溝に一端が係入し、他端がボディ側に支持されるフックピンとを有したハートカム式に構成され、前記ボディに対してカードを挿入して、このカードに接当する前記スライダーが前記ロック位置までスライド作動した際には、前記カム溝のロックポイントに前記フックピンの一端が達して該スライダーをロック位置に保持し、このロック状態で前記カードを挿入方向に再度操作した際には前記ロックポイントから前記フックピンの一端が離脱して、前記バネの付勢力によるスライダーのイジェクト方向へのスライド作動を許すよう前記ロック機構の作動形態が設定されているカードコネクタであって、
前記スライダーが前記ロック位置に保持されている状態において、前記カードに対して抜き出し方向への力を作用させた場合に、この操作に連係して前記フックピンの一端を前記ロックポイントから離脱させるロック解除機構を備えているカードコネクタ。
【請求項２】
前記ボディにカードを挿入した際に、カードの凹部に係入してカードの脱落を防止する係合片が前記スライダーに形成されると共に、前記ロック解除機構は、前記スライダーが前記ロック位置に保持されている状況において、前記カードに対して抜き出し方向への力が作用した場合に、前記係合片が前記凹部から離脱する際の変位力を、前記フックピンの一端側に対して前記ロックポイントから離脱させる方向に伝える連係部材を備えて構成されている請求項１記載のカードコネクタ。
【請求項３】
前記係合片が、前記スライダーにおけるカム溝形成面と反対側の面に配置され、この係合片がカム溝の深さ方向に沿う方向に向けてバネで突出付勢されると共に、この係合片が前記バネの付勢力に抗して押し込み方向に変位した際に、この変位力を前記フックピンの一端側に伝えて、この一端側を前記ロックポイントから離脱させるロッド状の部材で前記連係部材が構成されている請求項２記載のカードコネクタ。
【請求項４】
前記ロック機構は、前記スライダーが前記ロック位置にある場合に前記フックピンの一端が位置する前記ロックポイントと、前記スライダーがイジェクト位置にある場合に前記フックピンの一端が位置するイジェクトポイントとを対向配置して構成されると共に、前記ロック解除機構でロック状態が解除された際に前記フックピンの一端がロックポイントから、前記イジェクトポイントに向かう移動を許す溝状の離脱経路を備えて構成されている請求項１〜３のいずれか１項に記載のカードコネクタ。
【発明の詳細な説明】
【０００１】
【発明の属する技術分野】
本発明は、コンタクトを有したボディと、このボディに対してイジェクト位置・ロック位置の間でスライド作動するスライダーと、このスライダーに対してイジェクト方向に付勢力を作用させる付勢機構と、前記スライダーを前記ロック位置に保持するロック機構とを備えると共に、前記ロック機構が、前記スライダーに対してハート状に形成したカム溝と、このカム溝に一端が係入し、他端がボディ側に支持されるフックピンとを有したハートカム式に構成され、前記ボディに対してカードを挿入して、このカードに接当する前記スライダーが前記ロック位置までスライド作動した際には、前記カム溝のロックポイントに前記フックピンの一端が達して該スライダーをロック位置に保持し、このロック状態で前記カードを挿入方向に再度操作した際には前記ロックポイントから前記フックピンの一端が離脱して、前記バネの付勢力によるスライダーのイジェクト方向へのスライド作動を許すよう前記ロック機構の作動形態が設定されているカードコネクタに関する。
【０００２】
【従来の技術】
上記のように構成されたカードコネクタとして、カード保持体５に対してスライド移動自在にスライダ７（本発明のスライダー）を備え、カード保持部材５に対してハート型のカム溝１９を形成し、このカム溝１９に対して先端部３１が係入する揺動部材２７（本発明のフックピン）をスライダ７に備え、揺動部材２７の中間部に係合突出部２９を形成したものが存在する。このカードコネクタでは、カード保持部材５にカード部材３（本発明のカード）を挿入した場合には、カード部材３との接当によりスライダ７が作動する結果、揺動部材３１の先端がカム溝１９の所定の位置に達してロック状態に達すると同時に、この揺動部材３１の姿勢変化に伴って係合突出部２９がカード部材３の係合凹部１３に対する突出量を増大して、この係合凹部１３に深く係合して脱落を防止するよう構成されている（例えば、特許文献１参照）。
又、上記のように構成されたカードコネクタとして、イジェクト部材４１（本発明のスライダー）に対して弾性ロック片５０を取付け、コネクタハウジング２にガイド突起６０を形成し、ハートカム４３のレバー案内溝４２に係入するカムレバー４５（本発明のフックピン）とイジェクト部材４１とを連係させている。このカードコネクタでは、カード１０を挿入することにより、弾性ロック片５０に対してガイド突起６０が当接して係止部５０ｂをカード１０の切欠き１８に係合させてカード１０の脱落を防止するよう構成されている（例えば、特許文献２参照）。
【０００３】
【特許文献１】
特開２００１‐１８５２８６号公報  （段落番号〔００１９〕〜〔００３１〕、図５、図７）
【特許文献２】
特開２００２‐１３４２２４号公報  （段落番号〔００２４〕〜〔００４１〕、図４、図７、図９、図１０）
【０００４】
【発明が解決しようとする課題】
デジタルカメラや携帯電話機、あるいは、個人用の携帯情報端末（ＰＤＡ）に使用されるカード状の記憶媒体（本発明のカード）を考えた場合、メモリースティック（商標）  や、ＳＤカード（商標）のように比較的小型の記憶媒体は、特許文献１や特許文献２に記載されるようにハートカム式のロック機構を具備するカードコネクタを介して装置本体にセットされることが多い。
【０００５】
このようにハートカム式のロック機構を備えたカードコネクタは、カードコネクタのボディ内にカードを押し込むことによりカードに接当するスライダーがロック機構がロック位置に達してカードを保持し、この保持状態でカードを再度押し込む方向に操作することによりロック機構のロックが解除され、バネ等の付勢力によりスライダーとともにカードが押し出されるものとなっている。
【０００６】
しかしながら、前述した構造のカードコネクタに対してカードを保持した後において、カードを取り出す際の操作を考えると、カードを取り出すためにカードを再度押し込み方向へ操作する必要があることを認識していないユーザや、カードの取り外しに慣れていないユーザの場合に、誤ってカードを抜き出す方向に操作することがある。このように誤ってカードを抜き出す方向に操作した場合には、カードを抜き出せた場合でも、スライダーがロック位置に保持されたままとなり、これ以降、適正な操作を行えないものとなり改善が望まれている。
【０００７】
特に、特許文献１や特許文献２に示されるように、カードの凹部（特許文献１の係合凹部、特許文献２の切欠き）に係合片を係入させてカードの保持を行う構造のカードコネクタでは、ロック状態においてカードの脱落を阻止する機能を有するものであるが、誤ってカードを抜き出す方向に操作した場合には、凹部に対する係合構造を破損することもあり改善の余地がある。
【０００８】
本発明の目的は、ハートカム式のロック機構を備えたカードコネクタにカードを保持した後、誤ってカードを抜き出す操作を行った場合でも、以降の操作を適正に操作し得るカードコネクタを合理的に構成する点にある。
【０００９】
【課題を解決するための手段】
本発明の請求項１に係るカードコネクタの特徴、作用・効果は次の通りである。
〔特徴〕
コンタクトを有したボディと、このボディに対してイジェクト位置・ロック位置の間でスライド作動するスライダーと、このスライダーに対してイジェクト方向に付勢力を作用させる付勢機構と、前記スライダーを前記ロック位置に保持するロック機構とを備えると共に、前記ロック機構が、前記スライダーに対してハート状に形成したカム溝と、このカム溝に一端が係入し、他端がボディ側に支持されるフックピンとを有したハートカム式に構成され、前記ボディに対してカードを挿入して、このカードに接当する前記スライダーが前記ロック位置までスライド作動した際には、前記カム溝のロックポイントに前記フックピンの一端が達して該スライダーをロック位置に保持し、このロック状態で前記カードを挿入方向に再度操作した際には前記ロックポイントから前記フックピンの一端が離脱して、前記バネの付勢力によるスライダーのイジェクト方向へのスライド作動を許すよう前記ロック機構の作動形態が設定されているカードコネクタにおいて、前記スライダーが前記ロック位置に保持されている状態において、前記カードに対して抜き出し方向への力を作用させた場合に、この操作に連係して前記フックピンの一端を前記ロックポイントから離脱させるロック解除機構を備えている点にある。
【００１０】
〔作用・効果〕
上記特徴によると、ボディ内部にカードを挿入してカードに接当するスライダーがロック位置に達した場合には、ロック機構のカム溝に係入するフックピンの一端がロックポイントに達することにより、スライダーをロック位置に保持するものとなる。このロック状態においてカードを抜き出し方向に操作した場合には、ロック解除機構がカードの抜き出し方向への操作と連係してフックピンの一端をロックポイントから離脱させることによりロック状態を解除して、付勢機構の付勢力によってスライダーをイジェクト位置まで作動させるものとなる。つまり、ユーザがカードを取り外す場合に誤ってカードを引き抜き方向に操作した場合にも、スライダーがイジェクト位置まで必ず作動するので、付勢機構の付勢力を利用した取り出しが可能になる。又、取り出しの後にカードを再びセットする場合にも適正な形態での操作が可能となる。その結果、ハートカム式のロック機構を備えたカードコネクタにカードを保持した後、カードを再度押し込み方向に操作してカードを取り出す操作形態を損なうことなく、誤ってカードを抜き出す操作を行った場合でも、以降の操作を適正に操作し得るカードコネクタが合理的に構成されたのである。
【００１１】
本発明の請求項２に係るカードコネクタの特徴、作用・効果は次の通りである。
〔特徴〕
請求項１記載のカードコネクタにおいて、前記ボディにカードを挿入した際に、カードの凹部に係入してカードの脱落を防止する係合片が前記スライダーに形成されると共に、前記ロック解除機構は、前記スライダーが前記ロック位置に保持されている状況において、前記カードに対して抜き出し方向への力が作用した場合に、前記係合片が前記凹部から離脱する際の変位力を、前記フックピンの一端側に対して前記ロックポイントから離脱させる方向に伝える連係部材を備えて構成されている点にある。
【００１２】
〔作用・効果〕
上記特徴によると、ボディ内部にカードを挿入した後、スライダーがロック位置に来る前に、スライダーに形成された係合片がカードの凹部に係入してカードの脱落を阻止する。その後、スライダーがロック位置に達して保持される。このロック状態でカードを抜き出し方向に操作した場合には、この抜き出し方向への操作時にカードの凹部から係合片が離脱する際の変位力を連係部材がフックピンの一端側に対して、フックピンをロックポイントから離脱させる方向に伝え、ロック機構のロックが解除される。このロックの解除によりスライダーがイジェクト位置に移動してカードの抜き出しが可能となる。その結果、ロック状態のカードの脱落を阻止する構造と、ロック機構の構造とを合理的に利用することにより、誤ってカードを抜き出す方向に操作を行ってもカードの抜き出しを適正に行い得るものとなった。
【００１３】
本発明の請求項３に係るカードコネクタの特徴、作用・効果は次の通りである。
〔特徴〕
請求項２記載のカードコネクタにおいて、前記係合片が、前記スライダーにおけるカム溝形成面と反対側の面に配置され、この係合片がカム溝の深さ方向に沿う方向に向けてバネで突出付勢されると共に、この係合片が前記バネの付勢力に抗して押し込み方向に変位した際に、この変位力を前記フックピンの一端側に伝えて、この一端側を前記ロックポイントから離脱させるロッド状の部材で前記連係部材が構成されている点にある。
【００１４】
〔作用・効果〕
上記特徴によると、ロック状態のカードを抜き出す方向に操作した場合には、カードの凹部に係合していた係合片が押し込み方向に変位し、この変位力がロッド状の部材で構成された連係部材によりフックピンの一端側に伝えられ、このフックピンの一端側をロックポイントから離脱させることになる。つまり、係合片と連係部材とを表裏の位置関係に配置し、連係部材をロッド状の部材で構成することにより、係合片が押し込み方向に変位した場合には、ロッド状部材により直接的にフックピンの一端に対して離脱方向に力を作用させることを実現しているのである。その結果、係合片とロック機構との配置の設定により、極めて簡単な構造でありながら、誤ってカードを抜き出す方向に操作した場合にも、確実にロック機構のロックを解除してスライダーをイジェクト方向に作動させてカードの抜き出しを適正に行い得るものとなった。
【００１５】
本発明の請求項４に係るカードコネクタの特徴、作用・効果は次の通りである。
〔特徴〕
請求項１〜３のいずれか１項に記載のカードコネクタにおいて、前記ロック機構は、前記スライダーが前記ロック位置にある場合に前記フックピンの一端が位置する前記ロックポイントと、前記スライダーがイジェクト位置にある場合に前記フックピンの一端が位置するイジェクトポイントとを対向配置して構成されると共に、前記ロック解除機構でロック状態が解除された際に前記フックピンの一端がロックポイントから、前記イジェクトポイントに向かう移動を許す溝状の離脱経路を備えて構成されている点にある。
【００１６】
〔作用・効果〕
上記特徴によると、ロック状態のカードを抜き出す方向に操作した場合には、ロック解除機構がフックピンの一端部ロックポイントから離脱させ、この離脱の後には、付勢機構の付勢力でスライダーがイジェクト位置への移動することになるが、このようにスライダーが移動する際においてフックピンの一端を離脱経路を介してイジェクトポイントに移動させることが可能となる。つまり、離脱経路が形成されていないものでは、ロックポイントからフックピンの一端を離脱させた後には、この一端が完全にカム溝から外れる状態となりイジェクトポイントに戻すことが困難になることも想像できるが、フックピンの一端の移動を許す離脱経路が形成されたものでは、この一端をカム溝から大きく離脱させる必要がなく、この一端を確実にイジェクトポイントに戻すことが可能となる。その結果、フックピンの一端を確実にイジェクトポイントに移動させて、これ以降の操作を適正に行わせ得るものとなった。
【００１７】
【発明の実施の形態】
以下、本発明の実施の形態を図面に基づいて説明する。
図１又は図２に示すように、並列的に配置された複数の第１コンタクト１と第２コンタクト２とを備えたボディＢと、このボディＢに対するカード挿抜方向に沿ってイジェクト位置Ｅｊ及びロック位置Ｌｏ（第１ロック位置Ｌｏ１・第２ロック位置Ｌｏ２の上位概念）の間でスライド作動自在に形成されたスライダーＳと、このスライダーＳに対し前記イジェクト方向に付勢力を作用させる圧縮コイルバネ３（付勢機構の一例）と、前記スライダーＳを前記ロック位置Ｌｏに保持するロック機構Ｌと、これらを覆うケースＣとを備えてカードコネクタが構成されている。
【００１８】
このカードコネクタは、デジタルカメラや携帯電話機、あるいは、携帯情報端末（ＰＤＡ）等の機器に備えられるものであり、これらに機器に対してメモリースティック（商標）  、あるいは、ＳＤカード（商標）で代表されるカードＭや、小型のハードディスクとしてマイクロドライブ（商標）で代表されるカードＭの装着と分離とを実現するものである。
【００１９】
図１にはメモリースティック型のカードＭを示しており、このカードＭは、カード全体が樹脂材で成ると共に、カード端部に複数の電極Ｐを並列的に形成し、このカードＭの端部側の角部を円弧状に取り除いて誤挿入防止用の切り欠き部Ｎを形成し、側縁部の一部を取り除いて係合用の凹部Ｄを形成している。又、このカードコネクタは図１に示すメモリースティック型のカードＭと、挿抜方向での寸法を短縮した形態の小型のカード（図示せず）との使用が許される兼用型に構成されている。
【００２０】
このカードコネクタに対して、カードＭを挿入した場合には、このカードＭとの接当によりスライダーＳがロック機構Ｌが第１ロック位置Ｌｏ１又は第２ロック位置Ｌｏ２に達してロック機構Ｌがロック状態を保持する。尚、カードコネクタに対して前記メモリースティック型のカードＭを挿入した場合には、カードＭの電極Ｐに対して前記第１コンタクト１とが接触し、これに代えて前記小型のカード（図示せず）を挿入した場合には、カードの電極と第２コンタクト２とが接触する。次に、このロック状態からカードＭを挿入方向に再度操作した場合に、ロック機構Ｌによるロックが解除され、圧縮コイルバネ３の付勢力によりスライダーＳがイジェクト位置Ｅｊまで移動し、このスライダーＳと伴にカードＭが押し出される結果、カードＭを取り出せるものとなっている（この作動の詳細は後述する）。
【００２１】
前記ケースＣは、アルミニウム合金や、銅合金の薄板のように加工が比較的容易で適度の剛性を有した金属素材をプレス成形して成り、このケースＣにはボディＢに挿入されるカードＭを案内する機能を有している。又、このケースＣにはスライダーＳをガイドする部位の一部を切り欠いて前記ロック機構Ｌのフックピン４に付勢力を作用させる板バネ部５を一体形成している。
【００２２】
前記ボディＢは、絶縁性の樹脂材により前記カードＭが挿入される本体部１０と、前記スライダーＳを案内するガイド部１１とを一体形成すると共に、この本体部１０に対して前記第１コンタクト１と第２コンタクト２を備えている。又、このガイド部１１におけるロック方向の端部にロック側ストッパー１２を形成し、イジェクト方向の端部にイジェクト側ストッパー１３を一体的に形成している。
【００２３】
前記スライダーＳは、前記ボディＢのガイド部１１に案内される状態で直線的にスライド作動するスライド部２０と、このスライド部２０から直交する方向に形成した接当部２１と、スライド部２０から接当部２１に亘る部位にカードＭの前記切り欠き部Ｎに接当する誤挿入防止用のリブ２２とを樹脂材で一体的に形成している。図３に示すように、スライド部２０に形成した収納空間２０Ａに対して係合片２３を出退自在、かつ、圧縮バネ２４で突出付勢される状態で備えている。この構造により、カードＭの挿入時にはカードＭに形成された前記凹部Ｄに対して係合片２３を係入させて、カードＭの脱落を防止するようにしている。又、係合片２３は、収納空間２０Ａの内面に摺接するガイド体２３Ａと、係合片２３の突出方向と逆向きに突出するロッド状の突出片２５（連係部材の一例）とを一体形成、又は別の部材（金属、樹脂等）を嵌め込むことにより形成し、この突出片２５をスライド部２０に穿設した貫通孔２０Ｂに挿通している。
【００２４】
前記ロック機構Ｌは、前記スライド部２０において前記係合片２３が配置された面と反対側の面に形成されたハートカムＣＡＭと、前記フックピン４とで構成されている。ハートカムＣＡＭは図６〜図８に示す形状のカム溝Ｇを有して成り、フックピン４は、ピアノ線のように比較的剛性が高い線材の両端部を折り曲げ、その一端側に前記カム溝Ｇに係入する倣い軸４Ａを形成し、他方の端部側に前記イジェクト側ストッパー１３に揺動自在に支持される支持軸４Ｂを形成している。尚、このフックピン４は前記ケースＣに形成された板バネ部５からの圧力が作用することで、倣い軸４Ａの端部がカム溝Ｇの底部に接触可能となる。
【００２５】
前記カム溝Ｇは、スライダーＳがイジェクトＥｊ位置にある場合に、前記倣い軸４Ａが位置するイジェクトポイントＥｐと、スライダーＳが第１ロック位置Ｌｏ１にある場合に、前記倣い軸４Ａが位置する第１ロックポイントＬｐ１との間に環状に形成され、かつ、前記イジェクトポイントＥｐと、スライダーＳが第２ロック位置Ｌｏ２にある場合に、前記倣い軸４Ａが位置する第２ロックポイントＬｐ２との間に環状に形成されている。尚、第１ロックポイントＬｐ１と第２ロックポイントＬｐ２との上位概念をロックポイントＬｐと総称する。
【００２６】
前記第１ロックポイントＬｐ１、あるいは、第２ロックポイントＬｐ２の部位には、圧縮コイルバネ３の付勢力でスライダーＳがイジェクト位置Ｅｊへ移動する現象を阻止するよう、倣い軸４Ａが嵌り込む壁状のロック面ＬＳを形成している。
【００２７】
前記カム溝Ｇは、前記イジェクトポイントＥｐと、第１ロックポイントＬｐ１及び第２ロックポイントＬｐ２との間に２系統形成されているが、従来からのハートカムに形成されたカム溝と基本的には変わらない構造を有している。具体的には、イジェクトポイントＥｊから２つのロックポイントＬｐ１、Ｌｐ２に向けて挿入レーンＧｉｎを形成し、第１ロックポイントＬｐ１からイジェクトポイントＥｊに向けて戻りレーンＧｒｅを形成し、これら挿入レーンＧｉｎと戻りレーンＧｒｅとの中間位置で、イジェクトポイントＥｐに近い位置に第２ロックポイントＬｐ２を配置している。又、第１ロックポイントＬｐ１に至る挿入レーンＧｉｎと戻りレーンＧｒｅとの間にバイパスレーンＧｂを形成し、更に、第１ロックポイントＬｐ１と戻りレーンＧｒｅとの間に離脱経路としての離脱レーンＧｄを形成している。
【００２８】
このカム溝Ｇのうち、挿入レーンＧｉｎは、倣い軸４Ａの移動方向（矢印で示す方向）での下手側が浅くなるよう溝深さが設定され（カム溝Ｇの底面を部分的に傾斜させている）、この挿入レーンＧｉｎから第１ロックポイントＬｐ１に至る領域に、階段状に溝深さが深くなる戻り阻止部Ｇｓを２箇所形成し、又、第１ロックポイントＬｐ１と戻りレーンＧｒｅとの境界部位にも階段状に溝深さが深くなる戻り阻止部Ｇｓを形成している。戻りレーンＧｒｅも同様に、倣い軸４Ａの移動方向（矢印で示す方向）での下手側が浅くなるよう溝深さが設定され（カム溝Ｇの底面を部分的に傾斜させている）、更に、この戻りレーンＧｒｅとイジェクトポイントＥｊとの境界部位に対しても、階段状に溝深さが深くなる戻し阻止部Ｇｓを形成してある。
【００２９】
前記第２ロックポイントＬｐ２の部位においても第１ロックポイントＬｐ１と同様に対応する部位に戻り阻止部Ｇｓが形成されている。尚、カム溝Ｇは挿入レーンＧｉｎと戻りレーンＧｒｅとにおいて倣い軸４Ａの移動方向下手側の溝深さを浅くすることにより、複数箇所に戻り阻止部Ｇｓを形成しているにも拘わらず、カム溝Ｇ全体の溝深さを深くしないで済むものにしている。
【００３０】
前記バイパスレーンＧｂは、カードＭの挿入途中で挿入を休止した場合等、スライダーＳが作動域の途中で倣い軸４Ａをイジェクト位置Ｅｊに戻す必要がある場合に倣い軸４Ａが第２ロックポイントＬｐ２に導入される不都合を阻止するために形成したものである。又、前記離脱レーンＧｄは後述するように、カードＭを第１ロック位置Ｌｏ１に保持した状態で、このカードＭに対して抜き出し方向への力が作用した場合に、後述するロック解除機構Ｒが機能してロック機構Ｌのロック状態が解除された際に、倣い軸４ＡをイジェクトポイントＥｐまで戻す際に、カム溝Ｇから倣い軸４Ａを離脱させることなく戻すためのものである。
【００３１】
図３に示すように、前記係合片２３と一体形成、又は別の部材（金属、樹脂等）を嵌め込むことにより形成された突出片２５が挿通する貫通孔２０Ｂは、前記第１ロックポイントＬｐ１と重複する位置に形成されている。このように位置を設定したことにより、係合片２３がスライダーのスライド部２０に対して沈み込む方向に変位した場合には突出片２５が、フックピン４の倣い軸４Ａの端縁に接当して、第１ロックポイントＬｐ１に位置する倣い軸４Ａを突き上げ、ロック機構Ｌのロック状態を解除させるように構成されている。このように係合片２３の変位と連係して突出作動する突出片２５によって前記ロック解除機構Ｒが構成され、この突出片２５によって第１ロックポイントＬｐ１から離脱した後には、倣い軸４Ａは前記離脱レーンＧｄから戻りレーンＧｒｅに移動し、最終的にはイジェクトポイントＥｐに達する。
【００３２】
このように構成されているので、本発明のカードコネクタに対して、カードＭを挿入しない場合にはスライダーＳはイジェクト位置Ｅｊにあり、この状態のカードコネクタに対してメモリースティック型のカードＭを挿入すると、カードＭの端部にスライダーＳの接当部２１が接当し、係合片２３がカードＭの凹部Ｄに係入し、圧縮コイルバネ３の付勢力に抗してスライダーＳがロック方向に移動を開始する。この操作を継続することにより、フックピン４の倣い軸４Ａが第１ロックポイントＬｐ１を超える位置に達し、この後、押し込み操作力を解除することで、倣い軸４Ａが前記戻り阻止部Ｇｓに案内される結果、図３に示すように第１ロックポイントＬｐ１まで移動しロック状態に達する。
【００３３】
このロック状態ではボディＢの第１コンタクト１と、カードＭの電極Ｐとが接触する状態に達して信号のアクセスが可能となる。次に、このロック状態のカードＭを取り出す場合には、カードＭを押し込み方向に再度操作することで、倣い軸４Ａが戻り阻止部Ｇｓに案内される結果、第１ロックポイントＬｐ１から戻りレーンＧｒｅに導入されるものとなり、この後、カードＭの押し込み操作を解除することで圧縮コイルバネ３の付勢力によってスライダーＳがイジェクト位置Ｅｊの側に移動し、このスライダーＳと伴にカードＭが排出される。このようにスライダーＳがイジェクト位置Ｅｊに達した状態では、倣い軸４ＡがイジェクトポイントＥｐに達するものとなる。
【００３４】
特に、本発明では、ロック状態のカードＭの取り出しに不慣れなユーザが誤ってカードＭを摘んで抜き出し方向に操作力を作用させた場合には、図４に示すように、係合片２３がスライダーＳのスライド部２０に沈み込む側に変位するものであり、この変位に連係してロック解除機構Ｒを構成する突出片２５が第１ロックポイントＬｐ１に位置する倣い軸４Ａの軸端に接当し、この倣い軸４Ａを押し出す方向に移動させる結果、図５に示すように、この倣い軸４Ａは第１ロックポイントＬｐ１から離脱するものとなり、スライダーＳが圧縮コイルバネ３の付勢力によりイジェクト位置Ｅｊまで作動し、この作動に伴ってカードＭを取り出せるのである。尚、第１ロックポイントＬｐ１から離脱した倣い軸４Ａは、離脱レーンＧｄから戻りレーンＧｒｅに移動することでイジェクトポイントＥｐに達するものとなり、倣い軸４Ａがカム溝Ｇから離脱する不都合もない。
【００３５】
又、本発明のカードコネクタと、ロック解除機構Ｒを備えていないカードコネクタとを比較すると、ロック解除機構Ｒを備えていないものでメモリスティック型のカードＭをロック機構Ｌで保持した状態で、誤ってカードＭを抜き出した場合にはスライダーＳがロック状態に保持されたままとなり、この後、これより小型のカードＭとを挿入した場合には、カードＭがスライダーＳに接触しないので、操作感覚に違和感があるばかりか、適切な位置より浅く挿入することや、適切な位置より深く挿入することも考えられ、しかも、この挿入の後に、カードＭを取り出すことが極めて困難な状況に陥るものとなる。これに対して本発明では、メモリスティック型のカードＭをロック機構Ｌで保持した状態で、誤ってカードＭを抜き出した場合にも、ロック解除機構Ｒの機能によりスライダーＳが必ずイジェクト位置Ｅｊに復元するので、この後、小型のカードＭを挿入する場合にも、スライダーＳを第２ロック位置Ｌｏ２で確実にロックさせ得るものとなり、前述した不都合を発生することがないのである。
【００３６】
〔別実施の形態〕
本発明は上記実施の形態以外に、以下のように構成しても良い（この別実施の形態では前記実施の形態と同じ機能を有するものには、実施の形態と共通の番号、符号を付している）。
【００３７】
（イ）スライダーＳにカム溝が形成された面と、係合片２３を備えた面とが表裏する位置関係に配置できない場合には、ロックポイントＬｐに位置する倣い軸４Ａを離脱させる離脱用部材を備え、かつ、係合片２３の変位をリンク機構やカム機構等を介して離脱用部材に伝えて、ロックポイントから倣い軸４Ａを離脱させるようロック解除機構Ｒを構成する。このように構成することにより、係合片２３とハートカムＣＡＭとの相対的な位置関係に制限されることなくロック状態を解除できるものとなる。
【００３８】
（ロ）カードＭがボディＢに挿入されロック機構Ｌがロック状態に達した状態においてカードＭに接触する接触部材をボディＢに備え、カードＭを抜き出す操作が行われた場合に、この接触部材がカードＭに接触しない状態に達することを利用してハートカムＣＡＭのロックポイントＬｐに位置する倣い軸４Ａを離脱させるよう連係部材等を備えてロック解除機構Ｒを構成しても良い。
【００３９】
（ハ）発明の実施の形態では、ボディＢの内部に２組のコンタクト１、２を形成して２種のカードに対応できるようカードコネクタを構成していたが、単一のカードＭに対応する、あるいは、３種以上のカードＭに対応するよう構成されたカードコネクタに本発明を適用するものであっても良い。
【００４０】
（ニ）スライダーＳの一部にバネ板と同様の弾性変形部を形成し、更に、この弾性変形部に対して係合片を形成することにより、この係合片をスライダーに対して一体的に作り出すことも可能である。このように係合片をスライダーと一体的に形成したものでは、部品点数の低減が可能で組み立ても容易となる。
【図面の簡単な説明】
【図１】カードコネクタの分解斜視図
【図２】スライダーがイジェクト位置にある状態でのボディの平面と側面とを示す図
【図３】カード挿入時におけるボディの状態と、カードの凹部・スライダーの係合片・突出片の状態とを示す断面図
【図４】カードを抜き出し方向に操作した際のボディの状態と、カードの凹部・スライダーの係合片・突出片の状態とを示す断面図
【図５】カードを抜き出し方向に操作してロック解除時におけるボディの状態と、カードの凹部・スライダーの係合片・突出片の状態とを示す断面図
【図６】ハートカムのカム溝を示す図
【図７】ハートカムのカム溝における倣い軸の移動経路を示す図
【図８】ハートカムのカム溝の形状を示す斜視図
【符号の説明】
１、２          コンタクト
４              フックピン
４Ａ            フックピンの一端側
２３            係合片
２４            バネ
２５            連係部材
Ｂ              ボディ
Ｄ              凹部
Ｇ              カム溝
Ｇｄ            離脱経路
Ｌ              ロック機構
Ｍ              カード
Ｒ              ロック解除機構
Ｓ              スライダー
Ｅｊ            イジェクト位置
Ｌｏ            ロック位置
Ｌｐ            ロックポイント
【図１】
2004235018.tif 000003
【図２】
2004235018.tif 000004
【図３】
2004235018.tif 000005
【図４】
2004235018.tif 000006
【図５】
2004235018.tif 000007
【図６】
2004235018.tif 000008
【図７】
2004235018.tif 000009
【図８】
2004235018.tif 000010